(57)【特許請求の範囲】
【請求項１】
転写情報が記録されたマスターディスクとスレーブディスクとを密着させて前記転写情報をスレーブディスクに磁気転写する磁気転写装置において、前記スレーブディスクを真空吸着により保持する複数のスレーブディスク保持手段と、前記マスターディスクを真空吸着により保持するマスターディスク保持手段と、スレーブディスクとマスターディスクとを真空吸引により密着させる密着手段と、前記密着手段に真空負圧を供給する密着用真空供給源と、前記マスターディスク保持手段に真空負圧を供給するマスターディスク保持用真空供給源と、前記複数のスレーブディスク保持手段それぞれに個別に真空負圧を供給する複数のスレーブディスク保持用真空供給源とを備え、前記密着用真空供給源と前記マスターディスク保持用真空供給源と前記スレーブディスク保持用真空供給源とがそれぞれ独立した真空系となるように構成されてなることを特徴とする磁気転写装置。
【発明の詳細な説明】
【０００１】
【発明の属する技術分野】
本発明は、ハードディスク装置やフロッピーディスク装置等に用いられる磁気ディスクにマスターディスクからフォーマット情報等の磁気記録を転写する磁気転写装置に関するものである。
【０００２】
【従来の技術】
磁気記録技術の進歩により磁気記録装置の大容量化あるいは小型化が進展している。中でもハードディスク装置の高密度記録による記録容量の向上は目ざましいものがある。このハードディスク装置は、複数枚の磁気ディスクと、各磁気ディスクそれぞれに対応する磁気ヘッドと、記録再生のための電子回路とを備えて構成される。このハードディスク装置の製造工程では、磁気ディスクにフォーマット情報、アドレス情報等の磁気信号が書き込まれる。この磁気信号の書き込みは、ハードディスク装置自身の書き込みヘッドを用いることもできるが、磁気ディスクをスレーブディスクとして磁気信号を記録したマスターディスクから磁気転写によりスレーブディスクに一括して磁気信号を記録することができ、効率的な磁気転写が可能である。このようにマスターディスクから磁気信号をスレーブディスクに転写する磁気転写装置の従来構成を図４に示す。
【０００３】
図４において、ロータリーインデックス４にはその４か所に吸着ヘッド３が等間隔に設けられており、各吸着ヘッド３はスレーブディスク１を真空吸着によって保持し、ロータリーインデックス４の間欠回転により間欠移動してマスターディスク２と対面する位置に移動する。マスターディスク２は直進スライダ５上に搭載された保持具６に真空吸着によって保持されており、スレーブディスク１が対面位置に移動してきたとき、直進スライダ５によってスレーブディスク１側に移動して対面当接する。
【０００４】
図２は、マスターディスク２とスレーブディスク１との対面状態を示すもので、マスターディスク２は吸引口６ａから真空吸引されることによって保持具６に真空吸着によって保持され、直進スライダ５によって保持具６が進退駆動されることによってスレーブディスク１方向に進退移動する。スレーブディスク１がマスターディスクとの対面位置に移動したとき、直進スライダ５は保持具６を進出駆動するので、マスターディスク２はスレーブディスク１に対面当接する。スレーブディスク１を保持する吸着ヘッド３は、吸着用吸引口３ａから真空吸引されることによってスレーブディスク１を吸着保持すると共に、マスターディスク２がスレーブディスク１に当接したとき密着用吸引口３ｂから真空吸引することにより、スレーブディスク１の中心位置に開口する中心穴１ａからマスターディスク２を吸引してスレーブディスク１にマスターディスク２を密着させる。このスレーブディスク１にマスターディスク２が密着した状態で、永久磁石１１を回転させることによりマスターディスク２に記録された磁気信号がスレーブディスク１に転写される。
【０００５】
前記吸着ヘッド３及び保持具６の真空吸引力は、図５に示すように、１つの真空装置８から供給される。４か所の吸着ヘッド３はそれぞれの吸着用吸引口３ａ及び密着用吸引口３ｂがそれぞれ電磁弁７を介して真空装置８に接続され、保持具６は吸引口６ａが電磁弁７を介して真空装置８に接続されている。即ち、９系統の真空供給路が共通の真空装置８に接続され、各系統毎に真空吸引のオン／オフが電磁弁７によって個別に制御される。
【０００６】
【発明が解決しようとする課題】
しかしながら、上記従来構成においては、ロータリーインデックス４上に設けられた複数の吸着ヘッド３のいずれかに何らかのエラーによってスレーブディスク１が外れる事態が生じたとき、他の吸着ヘッド３に保持されているスレーブディスク１が外れる事態が波及する恐れがあった。即ち、スレーブディスク１が外れた吸着ヘッド３の真空供給路は開放状態となり、共通の真空装置８に接続されている他の真空供給路の真空圧の低下を来すため、他の吸着ヘッド３に保持されているスレーブディスク１が外れてしまうエラーが連鎖的に発生する恐れがある。また、真空負圧の低下によって保持具６によるマスターディスク２の保持にも影響する場合があり、保持位置の位置ずれや脱落を発生させる恐れがある。
【０００７】
本発明が目的とするところは、複数に構成された真空吸引系の１つにエラーが生じたとき、他の真空吸引系に影響が及ばないように構成された磁気転写装置を提供することにある。
【０００８】
【課題を解決するための手段】
上記目的を達成するための本発明は、転写情報が記録されたマスターディスクとスレーブディスクとを密着させて前記転写情報をスレーブディスクに磁気転写する磁気転写装置において、前記スレーブディスクを真空吸着により保持する複数のスレーブディスク保持手段と、前記マスターディスクを真空吸着により保持するマスターディスク保持手段と、スレーブディスクとマスターディスクとを真空吸引により密着させる密着手段と、前記密着手段に真空負圧を供給する密着用真空供給源と、マスターディスク保持手段に真空負圧を供給するマスターディスク保持用真空供給源と、前記複数のスレーブディスク保持手段それぞれに個別に真空負圧を供給する複数のスレーブディスク保持用真空供給源とを備え、前記密着用真空供給源と前記マスターディスク保持用真空供給源と前記スレーブディスク保持用真空供給源とがそれぞれが独立した真空系となるように構成されてなることを特徴とする。スレーブディスク保持手段とマスターディスク保持手段と密着手段とに共通する真空供給源から真空負圧を供給すると、エラーによって真空系の１つが開放されると他の真空系にも影響が及ぶが、各真空系に独立した真空供給源を設けるとエラーによる影響が他に及ぶことが防止できる。特に、密着手段は真空吸引のオン／オフ動作を行うので、その動作によって真空負圧に変化が生じてマスターディスク保持手段によるマスターディスクの保持に影響が出る恐れがあり、少なくとも密着用真空供給源とマスターディスク保持用真空供給源とを独立した真空系に構成しておくと、密着手段の動作による影響がマスターディスク保持手段に及ぶことがない。
【０００９】
また、複数のスレーブディスク保持手段それぞれに個別に真空負圧を供給する複数のスレーブディスク保持用真空供給源を設けることにより、１つのスレーブディスク保持手段の吸着エラー等により真空系が開放されたとき、それが他のスレーブディスク保持手段に及ぶことがない。
【００１０】
さらに、スレーブディスク保持用真空供給源と、密着用真空供給源と、マスターディスク保持用真空供給源とがそれぞれ独立した真空系に構成することにより、それぞれの動作やエラーの影響が他に及ぶことがなく、安定した磁気転写を行うことができる。例えば、密着手段の動作による影響がスレーブディスク保持手段の真空系に及ぶことが防止できる。また、複数のスレーブディスク保持手段にエラーが生じて真空系が開放されたとき、その影響によりマスターディスク保持手段の真空吸着力が低下して保持位置の位置ずれや脱落が生じることが防止できる。
【００１３】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１４】
図１において、ロータリーインデックス４には等間隔に４つの吸着ヘッド３が設けられており、ロータリーインデックス４の間欠回転により保持位置に移動した吸着ヘッド３は図示しない移載手段からスレーブディスク１が受け渡され、真空吸着により保持する。この吸着ヘッド３はロータリーインデックス４の間欠回転により間欠移動してマスターディスク２と対面する位置に移動したとき、マスターディスク２に記録された転写情報が磁気転写される。マスターディスク２は直進スライダ５上に搭載された保持具６に真空吸着によって保持されており、スレーブディスク１が対面位置に移動してきたとき、直進スライダ５によってスレーブディスク１側に移動して対面当接する。
【００１５】
図２は、マスターディスク２とスレーブディスク１との対面状態を示すもので、マスターディスク２は保持具６の吸引口６ａから真空吸引されることによって保持具６に真空吸着によって保持され、直進スライダ５によって保持具６が進退駆動されることによってスレーブディスク１方向に進退移動する。図示するようにスレーブディスク１がマスターディスク２との対面位置に移動したとき、直進スライダ５は保持具６を進出させるので、マスターディスク２はスレーブディスク１に対面当接する。一方、スレーブディスク１を保持する吸着ヘッド３は、吸着用吸引口３ａから真空吸引されることによってスレーブディスク１を吸着保持すると共に、マスターディスク２がスレーブディスク１に当接したとき密着用吸引口３ｂから真空吸引することにより、スレーブディスク１の中心位置に開口する中心穴１ａからマスターディスク２を吸引してスレーブディスク１にマスターディスク２を密着させる。このスレーブディスク１にマスターディスク２が密着した状態で、永久磁石１１を回転させることによりマスターディスク２に記録された転写情報がスレーブディスク１に転写される。
【００１６】
図３は、４つの吸着ヘッド３と保持具６とに供給する真空負圧の供給系統を示すもので、保持具６の吸引口６ａには第１の真空装置（マスターディスク保持用真空供給源）２１から第１の電磁弁３１を介して真空負圧が供給される。また、４つの吸着ヘッド３−１、３−２、３−３、３−４それぞれの吸着用吸引口３ａには第２〜第５の各真空装置（スレーブディスク保持用真空供給源）２２、２３、２４、２５からそれぞれ第２〜第５の各電磁弁３２、３３、３４、３５を介して真空負圧が供給される。また、４つの吸着ヘッド３−１、３−２、３−３、３−４それぞれの密着用吸引口３ｂには、それぞれ第６〜第９の各電磁弁３６、３７、３８、３９を介して第６の真空装置（密着用真空供給源）２６から真空負圧が供給される。
【００１７】
上記真空負圧の供給系統により、４つの吸着ヘッド３−１、３−２、３−３、３−４それぞれが吸着保持したスレーブディスク１の１枚が何らかのエラーで脱落して、その吸着ヘッド３の真空系が開放になった場合に、真空供給系統が各吸着ヘッド３毎に独立していることにより、他の吸着ヘッド３に影響が及ぶことがなく、エラーによるスレーブディスク１の損傷は１枚だけですむ。また、保持具６は常にマスターディスク２を吸着保持しているが、この真空系と吸着ヘッド３の真空系とは別系統になっているので、スレーブディスク１の脱落による真空負圧の低下により保持力が低下してマスターディスク２に位置ずれが生じたり脱落したりすることがない。特に、マスターディスク２のスレーブディスク１との密着時にはスレーブディスク１側からの真空吸引によりディスク面に大きな力が加わり、真空負圧が低下していると位置ずれ等が生じて磁気転写に重大な悪影響を及ぼすことになるが、真空系が独立していることにより安定した磁気転写が実現される。
【００１８】
また、４つの吸着ヘッド３−１、３−２、３−３、３−４それぞれの密着用吸引口３ｂに供給される真空負圧は、保持具６のマスターディスク２吸着用の真空系及び各吸着ヘッド３のスレーブディスク１の真空吸着用の真空系と独立した真空系を形成しているので、密着のための真空吸引力が他の真空系のエラーによって影響を受けず、磁気転写に影響を与えることがない。尚、吸着ヘッド３は４つあるため、密着用の真空系も４系統の真空系が必要であるが、密着用の吸引が必要となるのは、マスターディスク２との対面位置に移動した吸着ヘッド３だけであり、１台の第６の真空装置２６から４つの吸着ヘッド３に真空負圧を供給して問題はない。
【００１９】
以上説明した実施形態においては、４つの吸着ヘッド３に対して４つの真空装置２２〜２５からそれぞれ独立して真空負圧を供給するように構成しているが、２つの吸着ヘッド３に対して１つの真空装置を配置するようにしても１つの吸着ヘッド３のエラーによる真空負圧の変動を緩和することができ、必ずしも吸着ヘッド３の数と真空装置の数とを一致させる必要はない。
【００２０】
【発明の効果】
以上の説明の通り本発明によれば、スレーブディスクを吸着保持する吸着ヘッドが複数に設けられ、この吸着ヘッドに供給される吸着用の真空系が各吸着ヘッド毎に独立し、マスターディスクを吸着保持するための真空系及びマスターディスクとスレーブディスクとの密着用の真空吸引のための真空系が独立した真空供給源となっているので、１つのエラーによる真空系の開放が他に影響を及ぼすことがなく、特に密着用の真空系が他の真空系と独立していることにより、密着とその解除のための真空のオン／オフが他の真空系に影響を及ぼすことがなくなり、安定した磁気転写を行うことができる。また、複数のスレーブディスク保持手段において、１つのスレーブディスク保持手段の吸着エラー等により真空系が開放されたとき、それが他のスレーブディスク保持手段に及ぶことがない。さらに、スレーブディスク保持用真空供給源、密着用真空供給源、マスターディスク保持用真空供給源はそれぞれ独立した真空系をなし、それぞれの動作やエラーの影響が他に及ぶことがなく、安定した磁気転写を行うことができる。
【図面の簡単な説明】
【図１】実施形態に係る磁気転写装置の構成を示す平面図である。
【図２】マスターディスク及びスレーブディスクの真空系を示す断面図である。
【図３】実施形態に係る磁気転写装置の真空供給の系統を示す真空系統図である。
【図４】従来構成になる磁気転写装置の構成を示す平面図である。
【図５】従来構成になる磁気転写装置の真空供給の系統を示す真空系統図である。
【符号の説明】
１  スレーブディスク
２  マスターディスク
３  吸着ヘッド（スレーブディスク保持手段）
６  保持具（マスターディスク保持手段）
２１  第１の真空装置（マスターディスク保持用真空供給源）
２２  第２の真空装置（スレーブディスク保持用真空供給源）
２３  第３の真空装置（スレーブディスク保持用真空供給源）
２４  第４の真空装置（スレーブディスク保持用真空供給源）
２５  第５の真空装置（スレーブディスク保持用真空供給源）
２６  第６の真空装置（密着用真空供給源）
【図１】
0004044269.tif 000002
【図２】
0004044269.tif 000003
【図３】
0004044269.tif 000004
【図４】
0004044269.tif 000005
【図５】
0004044269.tif 000006